(57)【特許請求の範囲】
【請求項１】
引き違いの引き戸同士を施錠するにあたり、少なくとも後側の引き戸の上部又は下部に幅方向に沿って連続凹所を設け、前側の引き戸の召し合わせ部となる部位に前記連続凹所に作動杆を遊動可能に挿入した状態で錠本体を設けるとともに、両引き戸を召し合わせた際に後側の引き戸の連続凹所内若しくは連続凹所に臨む部位に前記錠本体の作動杆を受容する受け部を形成して、この位置で錠本体を作動させることにより、当該作動杆を受け部に係合させて両引き戸の相対移動を禁止するようにしたことを特徴とする引き戸の施錠構造。
【請求項２】
引き戸が面材の少なくとも上部又は下部に横框を備えてなるものであり、連続凹所を少なくとも後側の引き戸の横框に長手方向に沿って設けている請求項１記載の引き戸の施錠構造。
【請求項３】
連続凹所が設けられる後側の引き戸の横框に対して、これに対応する前側の引き戸の横框にも連続凹所を設け、更に後側の引き戸の横框に受け部を形成している請求項２記載の引き戸の施錠構造。
【請求項４】
施解錠操作がなされる錠本体に対して、作動杆の係合端を引き戸の中央側へ変位した位置に設けている請求項１〜３記載の引き戸の施錠構造。
【請求項５】
横框を、前後の引き戸で共通に使用される框本体と、これらの框本体の端部に連続する部位に設けられる端部框とから構成し、この端部框を、引き戸の四隅に配置されるコーナー部材に形成している請求項１〜４記載の引き戸の施錠構造。
【請求項６】
請求項１〜５記載の施錠構造を筐体の前面を閉止する引き戸に適用してなることを特徴とする収納装置。
【請求項７】
引き戸を筐体の前面に選択的に後付けできるように取り付けたオープン収納構造をなし、前側の引き戸と筐体との隙間に遮蔽部材を配置している請求項６記載の収納装置。
【発明の詳細な説明】
【技術分野】
【０００１】
本発明は、引き戸の前後方向のクリアランスを極力小さく抑え得るようにした引き戸の施錠構造及びこれを利用した収納装置に関するものである。
【背景技術】
【０００２】
収納装置の引き戸は、一般に引き違いができるように筐体の開口を閉止する位置に配置され、引き戸同士を召し合わせた状態で筐体の側板に設けた施錠機構を作動させて引き戸を閉止位置にロックするのが通例である。
但し、このような施錠機構は、閉止した引き戸が筐体の側板の側面に突き当たる収納構造が前提となるので、引き戸が筐体の前面に選択的に後付けできるように取り付けられるオープン収納タイプの収納装置には適用できない。そこで、このような場合には、例えば特許文献１に示されるように、前側の引き戸の縦框に錠本体、後側の引き戸の縦框に受け部材をそれぞれ取り付け、召し合わせた状態で施錠本体を受け部に係合させて引き戸同士を相対移動不能に固定するのが一般的である。すなわち、同文献を始めとして引き戸同士を相互に固定するための従前の方策は、専ら召し合わせた際に重合する前後の縦框を利用するものであった。
【特許文献１】特開２００５−１７１５５１号公報
【発明の開示】
【発明が解決しようとする課題】
【０００３】
ところが、錠本体や受け部は、奥行き方向にある程度の組み込み寸法を必要とするものである。そして、引き戸同士が相対移動する際は、前側の引き戸の錠本体は後側の引き戸の手前を通過し、後側の引き戸の受け部は前側の引き戸の裏面を通過することになる。このため、これらを適切に組み込み、且つ錠本体或いは受け部が後側又は前側の引き戸と干渉しないためには、縦框や引き戸を肉厚にしたり、錠本体から受け部までの距離以上に引き戸間にクリアランスを確保しなければならない。したがって、引き戸全体の面一度が低下して外観が損われ、重々しい印象をも与えるとともに、引き戸がホワイトボード等の機能を有する場合は、面材がそもそも薄肉であるため施錠機構を設けないようにするほかはなかった。また、オープン収納庫等に適用する場合には、引き戸間のクリアランスに応じて閉止時に手前の引き戸と筐体の側板との隙間が大きくなるため、これを隠蔽する構造も大掛かりなものになるという不都合を生じていた。
【０００４】
本発明は、このような課題に着目してなされたものであって、引き戸本体やその面材又は縦框の肉厚に影響されることなく、前後の引き戸のクリアランスを極力小さく保ちつつ、これらを相対移動不能に固定できるようにした引き戸の施錠構造及びこれを利用した収納装置を提供することを目的としている。
【課題を解決するための手段】
【０００５】
本発明は、かかる目的を達成するために、次のような手段を講じたものである。
【０００６】
すなわち、本発明は、引き違いの引き戸同士を施錠するにあたり、少なくとも後側の引き戸の上部又は下部に幅方向に沿って連続凹所を設け、前側の引き戸の召し合わせ部となる部位すなわち閉止時に後側の引き戸との間に重合状態が残る部位に、前記連続凹所に作動杆を遊動可能に挿入した状態で錠本体を設けるとともに、両引き戸を召し合わせた際に後側の引き戸の連続凹所内若しくは連続凹所に臨む部位に前記錠本体の作動杆を受容する受け部を形成して、この位置で錠本体を作動させ、当該作動杆を受け部に係合させて両引き戸の相対移動を禁止するようにしたことを特徴とする。
【０００７】
このようにすると、前側の引き戸の錠本体と後側の引き戸、或いは、後側の引き戸の受け部と前側の引き戸を、それぞれ互いに平面視重合するように配置しても、これらを相互に干渉させることなく引き戸を相対移動させることができる。このようにして、引き戸や縦框の肉厚に影響されることなく鍵本体及び引き戸を組み込むことができるので、前後の引き戸間のクリアランスを必要最小限に抑えることが可能となる。
【０００８】
引き戸が面材の少なくとも上部又は下部に横框を備えている場合には、連続凹所を少なくとも後側の引き戸の横框に長手方向に沿って設けておくことが有効である。
【０００９】
外観を整え、製造上の便宜も図るためには、連続凹所が設けられる後側の引き戸に対して、これに対応する前側の引き戸の横框にも連続凹所を設け、更に後側の引き戸の横框に受け部を形成しておくことが望ましい。
【００１０】
セキュリティを高めるためには、施解錠操作がなされる錠本体に対して、作動杆の係合端を引き戸の中央側へ変位した位置に設けておくことが効果的である。
【００１１】
特に横框を、前後の引き戸で共通に使用される框本体と、これらの框本体の端部に連続する部位に設けられる端部框とから構成し、この端部框を、引き戸の四隅に配置されるコーナー部材に形成しておくことが好ましい。
【００１２】
本発明は、以上のような構成であるから、筐体の前面を閉止する引き戸にかかる施錠構造を適用して収納装置を構成することが有効であり、特に、収納装置が引き戸を筐体の前面に選択的に後付けできるように取り付けたオープン収納構造をなし、前側の引き戸と筐体との隙間に遮蔽部材を配置するようにしている場合に、遮蔽部材をコンパクトに構成できる効果が得られる。
【発明の効果】
【００１３】
本発明によれば、錠本体や受け部を引き戸や縦框の厚みに影響されずに組み込むことができ、これにより引き戸間のクリアランスを極力小さくして引き戸の外観を向上させることができ、薄肉な引き戸にも有効に適用することが可能となる。
【発明を実施するための最良の形態】
【００１４】
以下、本発明の一実施形態を、図面を参照して説明する。
【００１５】
図１及び図２は、本発明の施錠構造を適用した収納装置Ａを示している。この収納装置Ａは、上収納部ａ１及び下収納部ａ２を上下に積層した構造をなすもので、上収納部ａ１は頂板１１、底板１２、背板１３及び左右の側板１４によって前方に開口する収納空間Ｓを形成し、その収納空間Ｓを閉止し得る位置に引き戸２、３を、上レールｒ１及び下レールｒ２を介して引き違い可能に後付けしたオープン収納構造をなす。
【００１６】
後側に配置される引き戸２は、芯材の前後両面にホーロー層を設けてホワイトボードとして利用可能な面材２ａと、この面材２ａの周囲に取り付けた上下の横框（以下、上框２ｂ及び下框２ｃと称する）及び左右の縦框２ｄ、２ｅとからなる。
【００１７】
下框２ｃは、図３及び図４に示すように、アルミ押し出し材からなる框本体２１の端部に樹脂製の端部框２２、２３を連設したもので、これらの端部框２２、２３は、面材２ａの四隅に配置されるコーナー部材Ｃ２２、Ｃ２３の一部に作り込んである。框本体２１は、面材２ａを保護する保護枠部２１ａの下方に横断面コ字形をなす中空体状のフレーム部２１ｂを一体に設けたもので、その前方に位置する凹み部２１ｃが長手方向に連なって本発明の連続凹所２ｘを構成している。前述したコーナー部材Ｃ２２、Ｃ２３の端部框２２、２３も、一部が前記框本体２１におけると同様の横断面コ字形をなし、その部位が下框２ｃの連続凹所２ｘの一部をなしている。コーナー部材Ｃ２２、Ｃ２３には、内側に対をなす突起Ｃａが設けられ、これらの突起Ｃａを框本体２１のフレーム部２１ｂに緊密に差し込んで取り付けるようにしているとともに、突起Ｃａと直交する方向にも突起Ｃｂが設けられ、この突起Ｃｂを介して縦框２ｄ、２ｅを取り付けるようにしている。
【００１８】
一方、前側に配置される引き戸３も上記引き戸２と基本的に同様の構成を有するもので、図１に示すように、芯材の前後両面にホーロー層を設けてホワイトボードとして利用可能な面材３ａと、この面材３ａの周囲に取り付けた上下の横框（以下、上框３ｂ及び下框３ｃと称する）及び左右の縦框３ｄ、３ｅとからなる。
【００１９】
下框３ｃは、図３及び図５に示すように、アルミ押し出し材からなる框本体３１の端部に樹脂製の端部框３２、３３を連設したもので、これらの端部框３２、３３は、面材３ａの四隅に配置されるコーナー部材Ｃ３２、Ｃ３３の一部に作り込んである。框本体３１は、面材３ａを保護する保護枠部３１ａの下方に横断面コ字形をなす中空体状のフレーム部３１ｂを一体に設けたもので、その前方に位置する凹み部３１ｃが長手方向に連なって本発明の連続凹所３ｘを構成している。前述したコーナー部材Ｃ３２、Ｃ３３の端部框３２、３３も、一部が前記框本体３１におけると同様の横断面コ字形をなし、その部位が下框３ｃの連続凹所３ｘの一部をなしている。コーナー部材Ｃ３２、Ｃ３３には内側に対をなす突起Ｃｃが設けられ、これらの突起Ｃｃを框本体３１のフレーム部３１ｂに緊密に差し込んで取り付けるようにしているとともに、前記突起Ｃｃと直交する方向にも突起Ｃｄが設けられ、この突起Ｃｄを介して縦框３ｄ、３ｅを取り付けるようにしている。
【００２０】
なお、図１に示す上框２ｂ、３ｂは、前記下框２ｃ、３ｃに準じてアルミ押し出し材を主体として構成され、上框２ｂはそれぞれ縦框２ｄ、２ｅとコーナー部材Ｃ２４、Ｃ２５を介して接続され、上框３ｂはそれぞれ縦框３ｄ、３ｅとコーナー部材Ｃ３４、３５を介して接続されている。但し、連続凹所は不要であるため、上框２ｂ、３ｂに横断面コ字形の成形はなされていない。
【００２１】
そして本実施形態は、図３〜図７に示すように、前側の引き戸３の召し合わせ部となる部位、つまりコーナー部材Ｃ３２の端部框３２として機能する部分及びその近傍に亘る部位に取付孔５ｈを介して錠本体５を取り付け、この錠本体５の作動杆５１を、後側の引き戸２の連続凹所２ｘに臨む部位であって召し合わせ時に前記作動杆５１が到来する部位に設けた受け部６に選択的に挿入するようにしている。図３は閉止時の位置関係を保って両引き戸２，３を併記しているものである。
【００２２】
鍵本体５は、シリンダ錠タイプのもので、前記作動杆５１がキーの差込方向と直交する方向すなわち上下方向に作動する。この作動杆５１は、図３、図５及び図６等に示すように、鍵本体５の後部から一旦横方向（引き戸３の中央方向）に延びる持ち出し部５１ａと、その持ち出し部５１ａの先端から後方に上向きコ字形に屈曲する係合部５１ｂとを連設した形態をなし、その係合部５１ｂの上方に位置する係合端５１ｘが後側の引き戸２の連続凹所２ｘに差し込まれるようにしている。
【００２３】
一方、受け部６は、引き戸２、３を召し合わした際に上述したように前記作動杆５１の係合部５１ｂが到来する位置に設けられたもので、この受け部６は図３、図４及び図７に示すようにコーナー部材Ｃ２３の連続凹所２ｘに臨む上壁に穿設した矩形孔状をなし、作動杆５１の係合部５１ｂの係合端５１ｘを受容するようにしている。
【００２４】
すなわち、これら作動杆５１及び係合端５１ｘが係合して、引き戸２、３の幅方向への相対動作を禁止し、その結果、上収納部ａ１の収納空間Ｓをロック状態で閉止するようにしている。
【００２５】
なお、前側の引き戸３の錠本体５が設けられている部位よりも側縁側には、図８に示すように目隠し板７が配置され、召し合わせ部における引き戸２、３間から工具等を用いて錠本体５を不正に操作することを阻止する構造をなしている。また、前側の引き戸３と上収納部ａ１の筐体との隙間には、同図に示すような遮蔽部材ＳＬが配置されている。
【００２６】
本実施形態の施錠構造は以上のように構成されるものであるが、叙述したように本実施形態は、引き違いの引き戸２、３同士を施錠するにあたり、少なくとも後側の引き戸２の下部に幅方向に沿って連続凹所２ｘを設け、前側の引き戸３の召し合わせ部となる部位に前記連続凹所２ｘに作動杆５１の係合部５１ｂを遊動可能に挿入した状態で錠本体５を設け、また、両引き戸２、３を召し合わせた際に後側の引き戸２の連続凹所２ｘに臨む部位に前記錠本体５の作動杆５１の係合端５１ｘを受容する受け部６を形成したものであり、この位置で錠本体５を作動させることにより、当該作動杆５１の係合端５１ｘを受け部６に係合させて両引き戸２、３の相対移動を禁止するようにしたものである。
【００２７】
このような構造であると、本実施形態においては前側の引き戸３の錠本体５（特に係合部５１ｂ）と後側の引き戸２の面材２ａを互いに平面視重合するように配置しても、相互に干渉させることなく引き戸２、３を相対移動させることができる。したがって、これらの引き戸２、３や縦框２ｅ、３ｄの肉厚に影響されることなく鍵本体５や受け部６を引き戸２，３に組み込むことができ、前後の引き戸２、３間のクリアランスを必要最小限に抑えることが可能となる。従来、このようなホワイトボードタイプの引き戸を有する収納装置は、厚肉化を伴うために施錠機構が設けられなかったことに鑑みれば、本実施形態は薄肉な引き戸２，３であっても施錠構造を有効に採用することを可能にした点で極めて有意義なものとなる。
【００２８】
特に、引き戸２が面材２ａの少なくとも下部に下框２ｃを備えており、連続凹所２ｘをこの引き戸２の下框２ｃに長手方向に沿って設けているので、作動杆５１を収容して移動させるのに適した既存の部材を有効活用するものであり、しかもこの下框２ｃの肉厚が面材２ａの肉厚に影響を与えることがないため、錠本体５等の組み込みスペースを無理なく確保することが可能となる。
【００２９】
また、下框２ｃに連続凹所２ｘが設けられる後側の引き戸２に対して、前側の引き戸３の下框３ｃにも連続凹所３ｘを設け、更に後側の引き戸２の下框２ｃに受け部６を形成しているため、外観の統一が図れ、また受け部６以外の主要部分を共通化できるため、製造上の便宜も図れるものとなる。
【００３０】
特に下框２ｃ（３ｃ）を、前後の引き戸２，３で共通に使用される框本体２１（３１）と、これらの框本体２１、３１の端部に連続する部位にそれぞれ設けられる端部框２２、２３（３２、３３）とから構成し、これらの端部框２２、２３（３２、３３）を、引き戸２（３）の面材２ａ（３ａ）の四隅に配置されるコーナー部材Ｃ２２、Ｃ２３（Ｃ３２、Ｃ３３）に一体形成しているため、框本体２１、３１を別々に製作する場合に比べて部品点数やコストの削減を図ることができ、また、樹脂製のコーナー部材Ｃ２２、Ｃ２３（Ｃ３２、Ｃ３３）に端部框２２、２３（３２、３３）を一体形成し、これに受け部６を設けている点も更に部品点数やコストの削減を実効あらしめるものとなる。
【００３１】
さらに、施解錠操作がなされる錠本体５に対して、作動杆５１の係合部５１ｂの係合端５１ｘを引き戸３の中央側へ変位した位置に設けているので、召し合わせ部分から工具等を差し込んでも届き難い部位に退避させて、セキュリティの効果をより有効に高めることが可能となる。
【００３２】
以上のような施錠構造であるから、引き戸２、３の面材２ａ、３ａ間のクリアランスを極力小さくして面一に近い状態を実現でき、引き戸２、３全体の外観を有効に向上させた収納装置Ａを実現できたものである。
【００３３】
特に、この収納装置Ａは、引き戸２、３を上収納部ａ１の筐体の前面に選択的に後付けしたオープン収納構造をなし、前側の引き戸３と上収納部ａ１の筐体との隙間に図８に示すような遮蔽部材をＳＬ配置しているが、引き戸２，３を薄肉のまま使用し、かつ両者間のクリアランスを極力小さくしていることから、かかる遮蔽部材ＳＬをコンパクトに構成できる効果も奏するものである。
【００３４】
なお、各部の具体的な構成は、上述した実施形態のみに限定されるものではない。
【００３５】
例えば、引き戸２，３が縦框２ｄ、２ｅ（３ｄ、３ｅ）と上框２ｂ（３ｂ）、縦框２ｄ、２ｅ（３ｄ、３ｅ）と下框２ｃ（３ｃ）をそれぞれ直接突き合わせて構成される場合、或いは、引き戸２，３が面材２ａ（３ａ）に上框２ｂ（３ｂ）及び下框２ｃ（３ｃ）のみを、又は面材２ａ（３ａ）に下框２ｃ（３ｃ）のみを取り付けて構成される場合等がある。このような場合には、他の実施形態として、端部框やコーナー部材を用いずに框本体２１，３１のみで下框２ｃ（３ｃ）を構成し、図９に示すように、前側の引き戸３の召し合わせ部となる部位、すなわち下框３ｃたる框本体３１の端部近傍部位に取付孔１０５ｈを設けて図６に示した錠本体５を取り付けるとともに、この錠本体５の作動杆５１を、図９に示す後側の引き戸２の連続凹所２ｘに臨む部位であって召し合わせ時に前記作動杆５１が到来する部位、すなわち下框２ｃたる框本体２１の端部近傍部位に設けた受け部１０６に選択的に挿入するようにするとよい。図示の取付孔１０５ｈは、框本体３１の横断面コ字形をなすフレーム部３１ｂの凹み部３１ｃの立面に穿孔したものであるが、錠本体５を組み込むに際して、受け部１０６までの距離を考慮し必要に応じてスペーサ等を介在させることができるのは言うまでもない。受け部１０６は、框本体２１の横断面コ字形をなすフレーム部２１ｂの下向面に穿孔してある。
【００３６】
このように構成しても、図７に示したと同様の組み込み状態となり、前側の引き戸３の錠本体５（特に係合部５１ｂ）と後側の引き戸２の面材２ａとが互いに重合することになっても、前記実施形態と同様、相互に干渉させることなく引き戸２、３を相対移動させることができ、これらの引き戸２、３の面材２ａ、３ａの肉厚に影響されることなく鍵本体５や受け部１０６を引き戸２，３に組み込んで、前後の引き戸２、３間のクリアランスを必要最小限に抑えることが可能となる。このように、端部框やコーナー部材は必須要件ではなく、引き戸に上框或いは下框さえ備われば、後側の引き戸の框に連続凹所及び受け部を確保し、前側の引き戸の框に錠本体を所定の関係で組み込むだけで本発明は実施可能であるため、本発明は種々の引き戸に広範に適用することが可能となる。勿論、面材と框が一体をなすようなものであっても構わない。
【００３７】
上記実施形態では上収納部を施錠する構造を採用するため、下框に本発明の施錠構造を適用したが、収納部の筐体が床に直置きされる場合等には、操作性を考慮して上框に本発明の施錠構造を適用するようにするとよい。この場合、図示実施形態の連続凹所や錠本体、受け部の位置を含めて、引き戸２，３の構造を上下反転すれば上框に本発明を適用することができる。
【００３８】
また、上記実施形態では引き戸がホワイトボード機能を有するものであったが、引き戸が単なる化粧板等であっても上記に準じた作用効果が奏される。
【００３９】
さらに、上記実施形態では作動杆を、錠本体から持ち出し部を介して側方へ変位させた位置に係合部を設けたものにしているが、セキュリティ上問題がなく、製造容易であれば、錠本体の後方に係合部を位置させても構わない。
【００４０】
さらにまた、本発明は上記のようなオープン収納構造以外の収納装置にも適用可能でああり、その他、引き戸の横框が木製である場合等も含めて、本発明の趣旨を逸脱しない範囲で種々変形が可能である。
【図面の簡単な説明】
【００４１】
【図１】本発明の一実施形態に係る施錠構造を適用した収納装置の正面図。
【図２】同右側面図。
【図３】同実施形態における前後の下框の構成を相対位置を保って併記した部分正面図。
【図４】後側の引き戸の下框における召し合わせ部分を示す部分拡大斜視図。
【図５】前側の引き戸の下框における召し合わせ部分を示す部分拡大斜視図。
【図６】同実施形態の錠本体を示す図。
【図７】同実施形態における召し合わせ部分の拡大縦断面図。
【図８】同実施形態の目隠し板及び遮蔽部材を示す模式的な平面図。
【図９】本発明の他の実施形態を示す図４及び図５に対応した斜視図。
【符号の説明】
【００４２】
２…後側の引き戸
２ａ…面材
２ｃ…横框（下框）
２ｘ…連続凹所
３…前側の引き戸
３ａ…面材
３ｃ…横框（下框）
３ｘ…連続凹所
５、１０５…錠本体
６、１０６…受け部
２１、３１…框本体
２２、２３、３２、３３…端部框
５１…作動杆
Ｃ２１、Ｃ２２、Ｃ３１、Ｃ３２…コーナー部材
【図１】
0004721184.tif 000002
【図２】
0004721184.tif 000003
【図３】
0004721184.tif 000004
【図４】
0004721184.tif 000005
【図５】
0004721184.tif 000006
【図６】
0004721184.tif 000007
【図７】
0004721184.tif 000008
【図８】
0004721184.tif 000009
【図９】
0004721184.tif 000010